【事件の表示】
　特許第２６５２９４１号「光ディスク装置」の請求項１ないし３に係る特許に対する特許異議の申立てについて、次のとおり決定する。
【結論】
　訂正を認める。
　特許第２６５２９４１号の請求項１ないし３に係る特許を維持する。
【理由】
１．手続の経緯
　本件特許第２６５２９４１号の請求項１〜請求項３に係る発明は、平成５年１１月１９日に特許出願され、平成９年５月２３日にその特許の設定の登録がなされ、その後、異議申立人森幸一により特許異議の申立てがなされ、取消理由通知がなされ、その指定期間である平成１０年９月１４日に訂正請求がなされた後訂正拒絶理由が通知され、訂正拒絶理由通知に対して異議意見書が提出されたものである。
２．訂正の適否について
〔２−１〕訂正の内容
　特許権者が求めている訂正の内容は、以下のとおりである。
▲１▼訂正事項ａ
　特許請求の範囲の減縮を目的として、特許請求の範囲の請求項１〜請求項３中の「ピット列或いはグルーブエリアを有する光ディスク」を、「ピット列及びグルーブエリアを有する光磁気ディスク」と訂正する。
▲２▼訂正事項ｂ
　特許請求の範囲の減縮を目的として、特許請求の範囲の請求項１中の「フオーカスサーボして得られる前記光ディスクからの反射光を検出する検出手段と、」を、「フォーカスサーボして得られる前記光磁気ディスクからの反射光を偏光し、トラッククロス信号を検出する検出手段と、」と訂正する。
▲３▼訂正事項ｃ
　特許請求の範囲の減縮を目的として、特許請求の範囲の請求項２及び請求項３中の「フオーカスサーボして得られる前記光ディスクからの反射光を偏光し検出する検出手段と、」を、「フォーカスサーボして得られる前記光磁気ディスクからの反射光を偏光し、トラッククロス信号を検出する検出手段と、」と訂正する。
▲４▼訂正事項ｄ
　特許請求の範囲の減縮を目的として、特許請求の範囲の請求項１〜請求項３中の「該検出手段の検出信号の和信号から得られた信号と」を、「該検出手段の検出信号の和信号の高周波信号のレベルと」と訂正する。
▲５▼訂正事項ｅ
　特許請求の範囲の減縮を目的として、特許請求の範囲の請求項１中の「前記光ディスクを再生する」を、「前記光磁気ディスクを再生する」と訂正する。
▲６▼訂正事項ｆ
　誤記の訂正を目的として、特許請求の範囲の請求項３中の「トラッキングサーボの極性及を切り換える」を、「トラッキングサーボの極性を切り換える」と訂正する。
▲７▼訂正事項ｇ
　誤記の訂正を目的として、図面中図１を、訂正請求書に添付の訂正図面図１のとおり、すなわち図１中のダイオード１５の極性を逆とする訂正を行う。
▲８▼訂正事項ｈ
　明りょうでない記載の釈明を目的として、発明の詳細な説明の記載を特許請求の範囲の記載に整合させる。
〔２−２〕訂正の目的の適否、新規事項の有無、及び特許請求の範囲の拡張・変更の存否
▲１▼訂正事項ａについて
　上記訂正事項ａは、特許明細書の特許請求の範囲に記載された「ピットエリア或いはグルーブエリアを有する光ディスク」を、より下位概念である「ピット列エリア及びグルーブエリアを有する光磁気ディスク」に限定しようとするものである。特許明細書の段落【０００２】には「ＣＤより低い反射率の光ディスクでピット列エリアとグルーブエリアから成るオーバライト可能なディスク」との記載、同段落【０００４】には「光ディスク上のピットエリアとグルーブエリアの検出を行うためには・・・」との記載、同段落【０００７】には「その目的は光ディスク上のピットエリアかグルーブエリアかを判別することによって・・・」との記載、及び、同段落【００１２】には「光ディスク内のピットエリアかグルーブエリアかの判別は、……簡単に行うことができる。」との記載がある。したがって、この訂正は、特許請求の範囲の減縮を目的とするものである。
　また、上記訂正事項ａは、願書に最初に添付した明細書又は図面に記載した事項の範囲内の訂正であり、実質上特許請求の範囲を拡張し、又は変更するものでもない。
▲２▼訂正事項ｂについて
　上記訂正事項ｂは、特許明細書の特許請求の範囲に記載された「反射光を検出する検出手段」を、より下位概念である「反射光を偏光し、トラッククロス信号を検出する検出手段」に限定しようとするものである。特許明細書の段落【０００８】並びに図１及び図３に、光ディスクによる反射光を偏光し、トラッククロス信号を検出することの記載がある。したがって、この訂正は、特許請求の範囲の減縮を目的とするものである。
　また、上記訂正事項ｂは、願書に添付した明細書又は図面に記載した事項の範囲内の訂正であり、実質上特許請求の範囲を拡張し、又は変更するものでもない。
▲３▼訂正事項ｃについて
　上記訂正事項ｃは、特許明細書の特許請求の範囲に記載された「反射光を偏光し検出する検出手段」を、より下位概念である「反射光を偏光し、トラッククロス信号を検出する検出手段」に限定しようとするものである。特許明細書の段落【０００８】並びに図１及び図３に、光ディスクによる反射光を偏光し、トラッククロス信号を検出することの記載がある。したがって、この訂正は、特許請求の範囲の減縮を目的とするものである。
　また、上記訂正事項ｃは、願書に添付した明細書又は図面に記載した事項の範囲内の訂正であり、実質上特許請求の範囲を拡張し、又は変更するものでもない。
▲４▼訂正事項ｄについて
　上記訂正事項ｄは、特許明細書の特許請求の範囲に記載された「該検出手段からの検出信号の和信号から得られた信号と」を、より下位概念である「該検出手段からの検出信号の和信号の高周波信号のレベルと」と限定しようとするものである。特許明細書の段落【０００８】及び図１に、検出信号はコンデンサ、抵抗を介して加算され、加算された和信号はダイオードとコンデンサによりピークホールドして得た高周波信号のレベルと基準電圧が比較されることの記載がある。したがって、この訂正は、特許請求の範囲の減縮を目的とするものである。
　また、上記訂正事項ｄは、願書に添付した明細書又は図面に記載した事項の範囲内の訂正であり、実質上特許請求の範囲を拡張し、又は変更するものでもない。
▲５▼訂正事項ｅについて
　上記訂正事項ｅは、特許明細書の特許請求の範囲に記載された「光ディスク」を、より下位概念である「光磁気ディスク」に限定しようとするものである。この訂正は、上記訂正事項ａに関連してなされるものであり、特許明細書の段落【０００２】にＣＤより低い反射率の光磁気ディスクでピット列エリアとグルーブエリアから成るオーバライト可能なディスクについての記載がある。したがって、この訂正は、特許請求の範囲の減縮を目的とするものである。
　また、上記訂正事項ｅは、願書に添付した明細書又は図面に記載した事項の範囲内の訂正であり、実質上特許請求の範囲を拡張し、又は変更するものでもない。
▲６▼訂正事項ｆについて
　上記訂正事項ｆは、特許明細書に記載された特許請求の範囲に記載された「トラッキングサーボの極性及を切り換える」を、「トラッキングサーボの極性を切り換える」と誤記の訂正をしたものである。特許明細書の段落【０００９】に、「トラッキングエラー信号の極性を切り換える」の記載がある。したがって、この訂正は、誤記の訂正を目的とするものである。
　また、上記訂正事項ｆは、願書に添付した明細書又は図面に記載した事項の範囲内の訂正であり、実質上特許請求の範囲を拡張し、又は変更するものでもない。
▲７▼訂正事項ｇについて
　上記訂正事項ｇは、本件特許の図面中図１に記載された判別回路の信号をピークホールドするために使われるダイオード１５の極性の方向についての誤記を訂正するものである。特許明細書の段落【０００８】に、「信号ｃはダイオード１５，１６とコンデンサー１８によりピークホールドされ信号ｄが得られる。」の記載があり、ピークホールドの機能を有するためにはダイオード１５のアノード側が接地される必要があるから、図１のダイオード１５の極性の記載が誤記であることは当業者であれば容易に理解できるものである。したがって、この訂正は、誤記の訂正を目的とするものである。
　また、上記訂正事項ｇは、願書に添付した明細書又は図面に記載した事項の範囲内の訂正であり、実質上特許請求の範囲を拡張し、又は変更するものでもない。
▲８▼訂正事項ｈについて
　上記訂正事項ｈは、特許請求の範囲の記載の訂正に伴い、これに整合させて発明の詳細な説明を訂正するものであるから、明りょうでない記載の釈明を目的とするものである。
　また、上記訂正事項ｈは、願書に添付した明細書又は図面に記載した事項の範囲内の訂正であり、実質上特許請求の範囲を拡張し、又は変更するものではない。
〔２−３〕独立特許要件
（本件発明）
　訂正明細書の請求項１〜請求項３に係る発明は、その特許請求の範囲の請求項１〜請求項３に記載された事項により特定される次のとおりのものである。（以下、「本件発明１」〜「本件発明３」という。）
「【請求項１】ピット列エリア及びグルーブエリアを有する光磁気ディスクを再生する光ディスク装置において、フオーカスサーボして得られる前記光磁気ディスクからの反射光を偏光し、トラッククロス信号を検出する検出手段と、該検出手段の検出信号の和信号の高周波信号のレベルと予め決められたレベルとを比較し前記検出したエリアがピットエリアかグルーブエリアかを判別する判別手段と、ディスクの回転を制御する回転制御手段と、前記判別手段の判別出力に基づいて前記回転制御手段を切り換えて前記光磁気ディスクを再生する手段を具備することを特徴とする光ディスク装置。
　【請求項２】ピット列エリア及びグルーブエリアを有する光磁気ディスクを再生する光ディスク装置において、フオーカスサーボして得られる前記光磁気ディスクからの反射光を偏光し、トラッククロス信号を検出する検出手段と、該検出手段の検出信号の和信号の高周波信号のレベルと予め決められたレベルとを比較し前記検出したエリアがピットエリアかグルーブエリアかを判別する判別手段と、ディスクの回転を制御する回転制御手段と、前記判別手段の判別出力に基づいてトラッキングサーボの極性及び前記回転制御手段を切り換えて再生する手段を具備することを特徴とする光ディスク装置。
　【請求項３】ピット列エリア及びグルーブエリアを有する光磁気ディスクを再生する光ディスク装置において、フオーカスサーボして得られる前記光磁気ディスクからの反射光を偏光し、トラッククロス信号を検出する検出手段と、該検出手段の検出信号の和信号の高周波信号のレベルと予め決められたレベルとを比較し前記検出したエリアがピットエリアかグルーブエリアかを判別する判別手段と、該判別手段の判別出力に基づいてトラッキングサーボの極性を切り換える切り換え手段及びディスクの回転をＥＦＭＣＬＶ制御或いはウオブリングＣＬＶ制御に切り換えて再生する手段を具備することを特徴とする光ディスク装置。」
（刊行物に記載された発明）
　当審において通知した取消理由で引用した刊行物１及び刊行物２には、それぞれ次の発明が記載されている。
　刊行物１（特開平４−２５９９１８号公報）
　普通の再生専用の光ディスクＣＤ、或いはウオブリングされたグルーブを有する記録可能な光ディスクＲ−ＣＤを再生する光ディスク装置において、フォーカスサーボがオンしたとき得られる前記光ディスクからの反射光を検出する光ピックアップ３と、該光ピックアップの検出信号に基づいて得られたＲＦ信号の有無を判別し、普通のＣＤかＲ−ＣＤかを判別するピークホールド回路等からなるＲＦ信号有無検出回路２４と、光ディスクの回転を制御するＥＦＭ−ＣＬＶサーボ、ウオブルサーボと、前記ＲＦ信号有無検出回路の判別出力に基づいて前記サーボを切り換えて前記光ディスクを再生する手段を具備することを特徴とする光ディスク装置。（特に、第４頁右欄〜第５頁左欄及び図面参照。）
　刊行物２（特開平４−１０３０７４号公報）
　再生専用の光ディスク、或いはウオブリングされたグルーブを有する光磁気ディスクを再生する光ディスク装置において、フォーカスサーボして得られる前記光ディスクからの反射光をウオーラストンプリズム３０７で偏光し検出する光学ヘッド３０と、該光学ヘッドの検出信号の出力ＸとＹの和信号から得られた信号と予め決められたスレッショールド値ＶＴ１、ＶＴ２とを比較し前記検出したディスクが再生専用光ディスクか光磁気ディスクかを判別する手段と、ディスクの回転を制御するサーボ制御回路３２と、前記判別手段の判別出力に基づいてトラッキングエラー信号の極性及びサーボ制御回路をスイッチ回路ＳＷ２で切り換えて再生する光ディスク装置。（第１、８〜１２図、及びそれに関する説明参照。）
（対比・判断）
　【本件発明１について】
　本件発明１と上記刊行物１及び刊行物２に記載された発明とを対比する。刊行物１に記載された発明は、通常の再生専用光ディスク（ＣＤ）とウオブリングされたグルーブを有する記録可能な光ディスク（Ｒ−ＣＤ）とを迅速に判別しうるものであるが、本件発明におけるように一枚のディスク内にピット列エリア及びグルーブエリアを有する光磁気ディスクについてピット列エリアとグルーブエリアを識別するものではない。また、検出手段に関しては、刊行物１に記載された発明においては光ディスクの反射光であるＲＦ信号を検出するものであり、本件発明１におけるように光磁気ディスクからの反射光を偏光してトラッククロス信号を検出するものではない。さらに、判別手段に関しても、刊行物１に記載された発明においては検出手段が検出したＲＦ信号の有無を判別して通常のＣＤかＲ−ＣＤかを判別するＲＦ信号有無検出回路であり、本件発明１におけるようにトラッククロス信号に含まれる高周波信号のレベルによって同一の光磁気ディスク内にあるピット列エリアかグルーブエリアかを判別するものではない。
　上記刊行物２に記載された発明は、再生専用の光ディスクとウオブリングされたグルーブを有する光磁気ディスクを識別して再生するものであるが、本件発明１におけるように、一枚のディスク内にピット列エリア及びグルーブエリアを有する光磁気ディスクについてピット列エリアとグルーブエリアを識別して再生するものではない。また、刊行物２に記載された発明における検出信号の和信号から得られた信号は、光ディスクの反射率の違いによりディスクの種別を識別する信号であり、一枚のディスク内にピット列エリア及びグルーブエリアを有する光磁気ディスクについてピット列エリアとグルーブエリアを識別する信号ではない。
　上記刊行物１及び刊行物２に記載された発明を組み合わせても、本件発明１における一枚のディスク内にピット列エリア及びグルーブエリアを有する光磁気ディスクについてピット列エリアとグルーブエリアを判別して回転制御手段を切り換えることは出てこない。
　したがって、本件発明１は、上記刊行物１及び刊行物２に記載された発明に基づいて当業者が容易に発明をすることができたものとすることはできない。
　【本件発明２について】
　本件発明２は、本件発明１に対して判別手段の判別出力に基づいて回転制御手段のみならずトラッキングサーボの極性を切り換えるものである点を付加したものであるから、本件発明１が上記刊行物１及び刊行物２に記載された発明に基づいて当業者が容易に発明をすることができたものとすることはできない以上、本件発明２が、上記刊行物１及び刊行物２に記載された発明に基づいて当業者が容易に発明をすることができたものとすることはできない
　【本件発明３について】
　本件発明３は、本件発明１に対して判別手段の判別出力に基づいてトラッキングサーボの極性を切り換える手段を付加するとともに、回転制御の切り換えを具体的にＥＦＭＣＬＶ制御或いはウオブリングＣＬＶ制御に切り換えるものであるとしたものであるから、本件発明１が上記刊行物１及び刊行物２に記載された発明に基づいて当業者が容易に発明をすることができたものとすることはできない以上、本件発明３が、上記刊行物１及び刊行物２に記載された発明に基づいて当業者が容易に発明をすることができたものとすることはできない
　したがって、本件発明１〜本件発明３は、特許出願の際独立して特許を受けることができるものである。
〔２−４〕むすび
　以上のとおりであるから、上記訂正は、特許法第１２０条の４第２項及び同条第３項において準用する第１２６条第２−４項の規定に適合するので、当該訂正を認める。
３．特許異議申立てについて
〔３−１〕申立の理由の概要
　申立人森幸一は、特許明細書の請求項１〜請求項３に係る発明は、甲第１号証（取消理由で通知した上記刊行物１）、及び甲第２号証（取消理由で通知した上記刊行物２）に記載された発明に基づいて当業者が容易に発明をすることができたものであり、特許法第２９条第２項の規定により特許を受けることができないものであるから、特許を取り消すべき旨を主張している。
〔３−２〕判断
　本件発明１〜本件発明３は、上記〔２−３〕（本件発明）において示したとおりのものである。また、甲第１号証、及び甲第２号証に記載された発明は、上記〔２−３〕（刊行物に記載された発明）において示したとおりのものであるから、本件発明１〜本件発明３は、上記〔２−３〕（対比・判断）において示したように甲第１号証及び甲第２号証に記載された発明に基づいて当業者が容易に発明をすることができたものとすることはできない。
〔３−３〕むすび
　以上のとおりであるから、特許異議申立ての理由及び証拠によっては、本件発明１〜本件発明３についての特許を取り消すことはできない。
　また、他に本件発明１〜本件発明３に係る特許を取り消すべき理由を発見しない。
　よって、結論のとおり決定する。
【異議決定日】
平成１１年５月２４日（１９９９．５．２４）
【訂正の要旨】
〔訂正の要旨〕
▲１▼訂正事項ａ
　特許請求の範囲の減縮を目的として、特許請求の範囲の請求項１〜請求項３中の「ピット列或いはグルーブエリアを有する光ディスク」を、「ピット列及びグルーブエリアを有する光磁気ディスク」と訂正する。
▲２▼訂正事項ｂ
　特許請求の範囲の減縮を目的として、特許請求の範囲の請求項１中の「フオーカスサーボして得られる前記光ディスクからの反射光を検出する検出手段と、」を、「フォーカスサーボして得られる前記光磁気ディスクからの反射光を偏光し、トラッククロス信号を検出する検出手段と、」と訂正する。
▲３▼訂正事項ｃ
　特許請求の範囲の減縮を目的として、特許請求の範囲の請求項２及び請求項３中の「フオーカスサーボして得られる前記光ディスクからの反射光を偏光し検出する検出手段と、」を、「フォーカスサーボして得られる前記光磁気ディスクからの反射光を偏光し、トラッククロス信号を検出する検出手段と、」と訂正する。
▲４▼訂正事項ｄ
　特許請求の範囲の減縮を目的として、特許請求の範囲の請求項１〜請求項３中の「該検出手段の検出信号の和信号から得られた信号と」を、「該検出手段の検出信号の和信号の高周波信号のレベルと」と訂正する。
▲５▼訂正事項ｅ
　特許請求の範囲の減縮を目的として、特許明細書の特許請求の範囲の請求項１中の「前記光ディスクを再生する」を、「前記光磁気ディスクを再生する」と訂正する。
▲６▼訂正事項ｆ
　誤記の訂正を目的として、特許請求の範囲の請求項３中の「トラッキングサーボの極性及を切り換える」を、「トラッキングサーボの極性を切り換える」と訂正する。
▲７▼訂正事項ｇ
　誤記の訂正を目的として、図面中図１を、訂正請求書に添付の訂正図面図１のとおり、すなわち図１中のダイオード１５の極性を逆とする訂正を行う。
▲８▼訂正事項ｈ
　明りょうでない記載の釈明を目的として、発明の詳細な説明の記載を特許請求の範囲の記載に整合させる。
（５４）【発明の名称】
光ディスク装置
（５７）【特許請求の範囲】
　【請求項１】ピット列エリア
及び
磁気
磁気
偏光し、トラッククロス信号を
高周波
のレベル
磁気
　【請求項２】ピット列エリア
及び
磁気
磁気
、トラッククロス信号を
高周波
のレベル
　【請求項３】ピット列エリア
及び
磁気
磁気
、トラッククロス信号を
高周波
のレベル
【発明の詳細な説明】
　　【０００１】
　【産業上の利用分野】
　本発明は、光ディスク装置で取り扱う光
磁気
　　【０００２】
　【従来の技術】
　光ディスクを利用した装置が種々提案されている。特に、ＭＤ（ミニディスク）装置やＣＤ（コンパクトディスク）装置があり、ＭＤ（ミニディスク）装置ではＣＤ（コンパクトディスク）と同じ反射率でピット列から成る再生専用のディスクとＣＤより低い反射率の光磁気ディスクでピット列エリアとグルーブエリアから成るオーバライト可能なディスクを取り扱えるようになっている。
　　【０００３】
　ＭＤ装置では種々のディスクを取り扱うためその光ピックアップを制御するためのサーボ回路はＣＤ装置に比べ複雑になっている。一つにはディスクの回転制御回路はディスクエリアがピット列の場合は、ＣＤ装置で知られるようにピット信号をディスク回転の検出信号として行うＥＦＭＣＬＶ制御を行い、またディスクエリアがグルーブエリアの場合は、グルーブが２２．０５ＫＨｚ周期でウオブリングしている。これを利用して常にディスク回転が行われている時２２．０５ＫＨｚの信号を抽出できるようにしたＷ−ＣＬＶ制御が行われている。二つにはピットエリアとグルーブエリアにおいてトラッキングエラー信号の極性が異なるため正しくトラッキングサーボをかけ信号読み出しを行うためトラッキングエラー信号の極性を切り換えるようにしている。
　　【０００４】
　【発明が解決しようとする課題】
　光ディスク装置に於いて、光
磁気
　　【０００５】
　【課題を解決するための手段】
　本発明は、ピットエリアとグルーブエリアとを検出する検出回路の出力に基づいてディスク回転制御とトラッキングサーボ回路の制御を行うことにより安定した光ピックアップのサーボ制御を行うものである。
　　【０００６】
　【実施例】
　本発明の実施例を図に基づいて説明する。図１において、半導体レーザ３より光ビームを発生させ、対物レンズ２から光
磁気
磁気
磁気
磁気
磁気
トラッククロス信号として
　　【０００７】
　ここで本発明においては、信号ａと信号ｂはピットエリアとグルーブエリア判別回路３３を通すことにより検出する。判別回路３３の出力においてピットエリアとグルーブエリアのどちらかの判別を論理レベルの“Ｈ”か“Ｌ”で検出することができ、その目的は光ディスク上のピットエリアかグルーブエリアかを判別することによってディスク回転制御とトラッキングサーボ制御を安定に行う光ディスク装置を得ることにある。
　　【０００８】
　図３（Ａ）に示す如く、図１に示した判別回路３３の信号波形について示す。フォーカスサーボが閉じていてトラッキングサーボがＯＦＦしている時モータ８で駆動される光
磁気
　　【０００９】
　マイコン２１はグルーブエリアであることを検知し、信号ｊを出力する。信号ｊにより図２に示したアナログスイッチ２４を切り換えることによりウオブリング信号処理回路２３からの出力を選択することで、光
磁気
磁気
磁気
　　【００１０】
　同様にピットエリアの場合について説明する。図３（Ｂ）に示す如くピットエリアの場合、信号ａ信号ｂが得られ増幅器１３を通すことにより信号ｃが得られる。これをダイオード１６とコンデンサ１８で構成するピークホールド回路により信号ｄを得る。この時信号ｄは比較値である基準電圧１９において信号ｆと比較することによりコンパレータ２０を通して信号ｇを得る。
　　【００１１】
　この時信号ｇはグルーブエリアとは逆の“Ｌ”レベルとなりマイコン２１へ入力する。マイコン２１はピットエリアであることを知り信号ｊを出力する。信号ｊにより図２に示したアナログスイッチ２４及びアナログスイッチ２８を切り換えることにより前記した回路出力とは異なる信号をつまり図２（ａ）に示すようにＥＦＭ信号処理回路２２かウオブリング信号処理回路２３かの信号を選択することでディスク回転制御を正しくコントロールすることができる。また３ビームトラッキング方式の場合図２（ｂ）に示すように先行ビームＥと後方ビームＦを差動増幅器２６に加えこの出力と反転出力とをスイッチ２８で切り換え位相補償２９を介し増幅器３０からトラッキングコイル３１に出力されトラッキングされる。
　　【００１２】
　以上のように光
磁気
磁気
磁気
　　【００１３】
　【発明の効果】
　以上説明したように、本発明の光ディスク装置によれば、フォーカスサーボＯＮで光
磁気
【図面の簡単な説明】
　【図１】
　本発明の一実施例を示す図。
　【図２】
　ブロック図。
　【図３】
　波形を示す図。
　【符号の説明】
　１　　　　　　　　　　　　　　光
磁気
　２　　　　　　　　　　　　　　対物レンズ
　３　　　　　　　　　　　　　　半導体レーザ
　４　　　　　　　　　　　　　　偏光ビームスプリッタ
　５，６　　　　　　　　　　　　フォトディテクタ
　７　　　　　　　　　　　　　　光ピックアップ
　８　　　　　　　　　　　　　　モータ
　９　　　　　　　　　　　　　　プリアンプ
　１０，１４，１８　　　　　　　コンデンサ
　１１，１２，１７　　　　　　　抵抗
　１３，２５，２６，２７，３０　増幅器
　１５，１６　　　　　　　　　　ダイオード
　１９　　　　　　　　　　　　　基準電圧
　２０　　　　　　　　　　　　　コンパレータ
　２１　　　　　　　　　　　　　マイコン
　２２　　　　　　　　　　　　　ＥＦＭ信号処理回路
　２３　　　　　　　　　　　　　ウオブリング信号処理回路
　２４，２８　　　　　　　　　　アナログスイッチ
　２９　　　　　　　　　　　　　位相補償回路
　３１　　　　　　　　　　　　　トラッキングコイル
【図面】
【図１】
【図２】
【図３】